(57)【要約】【課題】固定ナットで押圧固定された処置具挿入口金にガタつきや緩みが発生せず、しかも、処置具挿入口金を複数部品に分割する必要がなくて、コスト性、組立作業性に優れ、衛生的なデメリットが発生しない内視鏡の処置具挿入部の構造を提供すること。【解決手段】処置具挿入口金取付孔２の内周面とそれに面する処置具挿入口金７の外周面とに、平面どうしで当接し合うＤカット係合部１５を形成すると共に、処置具挿入口金７が、固定ナット１１で押圧固定されていない状態では処置具挿入口金取付孔２内で軸線周り方向に回転自在となるように、Ｄカット係合部１５における処置具挿入口金取付孔２の最小内径を処置具挿入口金７の最大外径より大きく形成した。【選択図】      図１
2010207424.tif 000002
【特許請求の範囲】
【請求項１】
処置具挿通チャンネルの基端に取り付けられた処置具挿通チャンネル基端口金が、操作部ハウジングに開口形成された処置具挿入口金取付孔の奥側位置に配置され、上記処置具挿入口金取付孔に外側から差し込まれた処置具挿入口金と上記処置具挿通チャンネル基端口金とが螺合連結されて、上記処置具挿入口金が、上記処置具挿入口金取付孔内に形成された段部に固定ナットで外方から押圧固定された構造を有する内視鏡の処置具挿入部の構造において、
上記処置具挿入口金取付孔の内周面とそれに面する上記処置具挿入口金の外周面とに、平面どうしで当接し合うＤカット係合部を形成すると共に、
上記処置具挿入口金が、上記固定ナットで押圧固定されていない状態では上記処置具挿入口金取付孔内で軸線周り方向に回転自在となるように、上記Ｄカット係合部における上記処置具挿入口金取付孔の最小内径を上記処置具挿入口金の最大外径より大きく形成し、
上記固定ナット内に上記処置具挿入口金を嵌合させて、上記固定ナットを上記処置具挿入口金取付孔の口元部に螺合させることにより、上記Ｄカット係合部で上記処置具挿入口金取付孔の内周平面部と上記処置具挿入口金の外周平面部とが当接し合う状態になるようにしたことを特徴とする内視鏡の処置具挿入部の構造。
【請求項２】
上記固定ナットと螺合する雌ねじ部の軸線位置が、上記処置具挿入口金取付孔の軸線位置と比較して上記Ｄカット係合部に接近する側に偏心して形成されている請求項１記載の内視鏡の処置具挿入部の構造。
【発明の詳細な説明】
【技術分野】
【０００１】
この発明は、内視鏡の処置具挿通チャンネルに処置具を挿入するための内視鏡の処置具挿入部の構造に関する。
【背景技術】
【０００２】
図１０は、従来の内視鏡の処置具挿入部を示しており、処置具挿通チャンネル９１の基端に取り付けられた処置具挿通チャンネル基端口金９２が、プラスチック製の操作部ハウジング９３に開口形成された処置具挿入口金取付孔９４の奥側位置に配置されている。
【０００３】
そして、処置具挿入口金取付孔９４に外側から差し込まれた処置具挿入口金９５と処置具挿通チャンネル基端口金９２とが螺合部９６で螺合連結されて、処置具挿入口金９５が、処置具挿入口金取付孔９４内に形成された段部９７に固定ナット９８で外方から押圧固定された構造になっている（例えば、特許文献１）。
【先行技術文献】
【特許文献】
【０００４】
【特許文献１】特開２００６−２６２４８
【発明の概要】
【発明が解決しようとする課題】
【０００５】
上述のような内視鏡の処置具挿入部においては、処置具挿入口金９５が、処置具挿入口金取付孔９４内に形成された段部９７に固定ナット９８で外方から押圧されることにより、操作部ハウジング９３に固定されている。
【０００６】
したがって、処置具挿入口金９５に外側から大きな回転力が作用すると（例えば、処置具の操作部が処置具挿入口金９５に着脱されるような場合等）、処置具挿入口金９５が回転して固定ナット９８が緩み、処置具挿入口金９５がガタつく状態になってしまう場合がある。
【０００７】
そこで、例えば図１１に示されるように、処置具挿入口金取付孔９４と処置具挿入口金９５との嵌め合い部に断面形状がＤ状のいわゆるＤカット係合部９９等のような非回転嵌合部を設ければ、処置具挿入口金取付孔９４内での処置具挿入口金９５の回転を規制することができる（例えば、特開２００３−１２６０２７）。
【０００８】
しかし、そのように処置具挿入口金９５が軸線周り方向に回転できないようにしてしまうと、処置具挿通チャンネル基端口金９２に対して処置具挿入口金９５を螺合連結することができなくなる。
【０００９】
そのため、処置具挿入口金９５を二部品（９５Ａ，９５Ｂ）に分割して接続する必要が生じ、コスト面での不利益だけでなく、組み立て時に螺合部９６の螺合作業が困難を究め、また、二つに分割された処置具挿入口金９５Ａ，９５Ｂの分割／接続部の隙間が汚液溜まりになる可能性も生じて衛生上も好ましくない。
【００１０】
本発明は、固定ナットで押圧固定された処置具挿入口金にガタつきや緩みが発生せず、しかも、処置具挿入口金を複数部品に分割する必要がなくて、コスト性、組立作業性に優れ、衛生的なデメリットが発生しない内視鏡の処置具挿入部の構造を提供することを目的とする。
【課題を解決するための手段】
【００１１】
上記の目的を達成するため、本発明の内視鏡の処置具挿入部の構造は、処置具挿通チャンネルの基端に取り付けられた処置具挿通チャンネル基端口金が、操作部ハウジングに開口形成された処置具挿入口金取付孔の奥側位置に配置され、処置具挿入口金取付孔に外側から差し込まれた処置具挿入口金と処置具挿通チャンネル基端口金とが螺合連結されて、処置具挿入口金が、処置具挿入口金取付孔内に形成された段部に固定ナットで外方から押圧固定された構造を有する内視鏡の処置具挿入部の構造において、処置具挿入口金取付孔の内周面とそれに面する処置具挿入口金の外周面とに、平面どうしで当接し合うＤカット係合部を形成すると共に、処置具挿入口金が、固定ナットで押圧固定されていない状態では処置具挿入口金取付孔内で軸線周り方向に回転自在となるように、Ｄカット係合部における処置具挿入口金取付孔の最小内径を処置具挿入口金の最大外径より大きく形成し、固定ナット内に処置具挿入口金を嵌合させて、固定ナットを処置具挿入口金取付孔の口元部に螺合させることにより、Ｄカット係合部で処置具挿入口金取付孔の内周平面部と処置具挿入口金の外周平面部とが当接し合う状態になるようにしたものである。
【００１２】
なお、固定ナットと螺合する雌ねじ部の軸線位置が、処置具挿入口金取付孔の軸線位置と比較してＤカット係合部に接近する側に偏心して形成されていてもよい。
【発明の効果】
【００１３】
本発明によれば、処置具挿入口金を摘んで処置具挿通チャンネル基端口金に容易に螺合連結させることができ、その後で、固定ナットを処置具挿入口金取付孔の口元部に螺合させることにより、Ｄカット係合部で処置具挿入口金取付孔の内周平面部と処置具挿入口金の外周平面部とが当接し合うので、処置具挿入口金に外側から大きな回転力が作用しても処置具挿入口金にガタつきや緩みが発生せず、しかも、処置具挿入口金を複数部品に分割する必要がないので、コスト的、衛生的なデメリットが発生しない優れた効果を奏する。
【図面の簡単な説明】
【００１４】
【図１】本発明の第１の実施例の内視鏡の処置具挿入部の側面断面図である。
【図２】本発明の第１の実施例の内視鏡の処置具挿入部の図１におけるII−II断面図である。
【図３】本発明の第１の実施例の内視鏡の処置具挿入部の組み立て工程における側面断面図である。
【図４】本発明の第１の実施例の内視鏡の処置具挿入部の図３におけるIV−IV断面図である。
【図５】本発明の第２の実施例の内視鏡の処置具挿入部の側面断面図である。
【図６】本発明の第２の実施例の内視鏡の処置具挿入部の図５における処置具挿入口金を省略した状態のVI−VI断面図である。
【図７】本発明の第２の実施例の内視鏡の処置具挿入部の図５におけるVI−VI断面図である。
【図８】本発明の第２の実施例の内視鏡の処置具挿入部の組み立て工程における側面断面図である。
【図９】本発明の第２の実施例の内視鏡の処置具挿入部の図８におけるIX−IX断面図である。
【図１０】内視鏡の処置具挿入部の第１の従来例の側面断面図である。
【図１１】内視鏡の処置具挿入部の第２の従来例の側面断面図である。
【発明を実施するための形態】
【００１５】
以下、図面を参照して本発明の実施例を説明する。
図１は、内視鏡の操作部の下端部付近に設けられた処置具挿入部を示している。操作部ハウジング１はプラスチックモールドにより形成されていて、処置具挿入口金取付孔２が、操作部ハウジング１に外側から内側に斜め下方に向けて形成されている。
【００１６】
３は、内視鏡の挿入部内に全長にわたって挿通配置された、例えば四フッ化エチレン樹脂チューブ等からなる可撓性の処置具挿通チャンネルである。処置具挿通チャンネル３の基端部に取り付けられた処置具挿通チャンネル基端口金４は、操作部ハウジング１内の処置具挿入口金取付孔２の奥側位置に配置されている。
【００１７】
処置具挿通チャンネル基端口金４には、処置具挿通チャンネル３に対して二股に分かれた状態に、吸引チューブ５と処置具挿入口金７とが接続されている。なお、処置具挿通チャンネル基端口金４の周囲にはその他の各種部材も配置されているが、その図示は省略されている。
【００１８】
ステンレス鋼製の処置具挿入口金７は、処置具挿入口金取付孔２内に外側から差し込まれた状態に配置されて、処置具挿入口金７の突端側は処置具挿入口金取付孔２の口元から外方に突出している。
【００１９】
処置具挿入口金７の奥側の先端部分は、処置具挿入口金取付孔２の奥側位置で処置具挿通チャンネル基端口金４と螺合連結され（螺合連結部８）、その連結部にはシール用のＯリング６が装着されている。
【００２０】
処置具挿入口金７の軸線位置には、図示されていない処置具を処置具挿通チャンネル３内に案内するための処置具通過孔７ａが貫通形成されていて、処置具通過孔７ａと処置具挿通チャンネル基端口金４内とが真っ直ぐに連通している。
【００２１】
処置具挿入口金取付孔２は中間部分で入口側が奥側より大きな径に形成されていて、その境界部は入口側に対向する段差面がある段部９になっている。また、処置具挿入口金７もそれに合わせた形状に形成されて、処置具挿入口金取付孔２の段部９に当接する段部当接面１０が処置具挿入口金７に鍔状に形成されている。
【００２２】
処置具挿入口金取付孔２の口元部には雌ねじ部１２が形成されており、その雌ねじ部１２に外方から螺合する固定ナット１１により（螺合部Ａ）、処置具挿入口金７の段部当接面１０が処置具挿入口金取付孔２内の段部９に外方から押圧固定され、それによって、処置具挿入口金７が操作部ハウジング１に固定された状態になっている。１３、１４はシール用のＯリングである。
【００２３】
処置具挿入口金取付孔２の中間部分（即ち、螺合連結部８と段部当接面１０との間の部分）の内周面と、それに面する処置具挿入口金７の外周面とには、平面どうしで当接し合うＤカット係合部１５が形成されている。
【００２４】
II−II断面を図示する図２に示されるように、Ｄカット係合部１５においては、処置具挿入口金取付孔２の断面形状が正円形の一部を弦状に真っ直ぐにした形状に形成され、処置具挿入口金７の外周面の断面形状も、それに対応して正円形の一部が平面状にカットされた形状に形成されている。
【００２５】
処置具挿入口金７には、１８０°対称位置にも同様のカット面が形成されている。このように、処置具挿入口金７の外周面に形成される平面状のカット面の数を多くすると、組み立て時に処置具挿入口金７の回転方向の向きの制約が小さくなり好ましい。ただし、平面状のカット面が一か所だけであっても差し支えない。
【００２６】
このＤカット係合部１５において、処置具挿入口金７の外周平面部が処置具挿入口金取付孔２の内周平面部に当接していることにより、処置具挿入口金７の軸線周り方向の回転が規制されて、固定ナット１１の緩みが発生しない。
【００２７】
ただし、Ｄカット係合部１５において、処置具挿入口金７の外径サイズが処置具挿入口金取付孔２の内径サイズより小さく形成されている。具体的には、処置具挿入口金７が、固定ナット１１で押圧固定されていない状態では処置具挿入口金取付孔２内で軸線周り方向に回転自在となるように、Ｄカット係合部１５における処置具挿入口金取付孔２の最小内径が処置具挿入口金７の最大外径より大きく形成されている。
【００２８】
処置具挿入口金７は、処置具挿入口金取付孔２と軸線が一致するようにセットされた状態では、Ｄカット係合部１５において外周平面部が処置具挿入口金取付孔２の内周平面部と当接するので軸線周りに回転させることができない。
【００２９】
しかし、図３及びそのIV−IV断面を図示する図４に示されるように、固定ナット１１が取り付けられていない状態で、処置具挿入口金７の軸線位置をＤカット係合部１５から遠ざかる方向に移動させることにより、処置具挿入口金７を処置具挿入口金取付孔２内において軸線周り方向に自由に回転させることができる。
【００３０】
したがって、組立工程において、処置具挿入口金７を処置具挿通チャンネル基端口金４に螺合連結部８で螺合させる作業の際には、処置具挿入口金取付孔２の口元から外方に突出する処置具挿入口金７の突端部を摘んで、処置具挿入口金取付孔２内で処置具挿入口金７を軸線周りに回転させることができ、螺合連結部８における処置具挿通チャンネル基端口金４との螺合作業を極めて容易に行い、処置具挿通チャンネル基端口金４を処置具挿入口金取付孔２側に引き寄せた状態に連結固定することができる。
【００３１】
図１に戻って、処置具挿入口金７は、処置具挿入口金取付孔２の口元側において外周面が正円形の断面形状に形成されていて、外周面に雄ねじが形成された円筒状に形成されている固定ナット１１内に処置具挿入口金７が嵌合している（嵌合部Ｂ）。
【００３２】
したがって、固定ナット１１を螺合部Ａに締め付けると、処置具挿入口金７の位置が固定ナット１１によって強制的に処置具挿入口金取付孔２と略同軸線位置に導かれて、図２に示されるように、Ｄカット係合部１５において、処置具挿入口金７の外周平面部と処置具挿入口金取付孔２の内周平面部とが当接し合う状態になる。
【００３３】
それにより、処置具挿入口金７の軸線周り方向の回転が規制され、固定ナット１１をきつく締め付ければ、その後の振動等で螺合部Ａにおける固定ナット１１と雌ねじ部１２の螺合状態が緩まないので、処置具挿入口金７にガタつきや緩みが発生しない。
【００３４】
このように、本発明によれば、処置具挿入口金７を複数部品に分割する必要がないので、コスト性、組立作業性に優れ、しかも衛生的なデメリットが発生せずに、処置具挿入口金７の緩み発生を防止することができる。
【００３５】
図５は、本発明の第２の実施例の内視鏡の処置具挿入部の構造を示しており、処置具挿入口金７を省略したVI−VI断面を図示する図６に示されるように、固定ナット１１と螺合する雌ねじ部１２の軸線位置Ｘ12を、処置具挿入口金取付孔２の軸線位置Ｘ2と比較してＤカット係合部１５に接近する側に偏心して形成したものである。ｅがその偏心量である。
【００３６】
VI−VI断面を図示する図７に示されるように、処置具挿入口金７の外径サイズが処置具挿入口金取付孔２の内径サイズより小さく形成されている点等は、前述の第１の実施例と同様である。
【００３７】
即ち、図８及びそのIX−IX断面図である図９に示されるように、処置具挿入口金７が、固定ナット１１で押圧固定されていない状態では、処置具挿入口金取付孔２内で軸線周り方向に回転自在となるように、Ｄカット係合部１５における処置具挿入口金取付孔２の最小内径が処置具挿入口金７の最大外径より大きく形成されている。
【００３８】
ただし、処置具挿入口金取付孔２の口元に形成されている雌ねじ部１２の軸線位置Ｘ12が、Ｄカット係合部１５に接近する側に寄せられて形成されていることにより、固定ナット１１を雌ねじ部１２に締め込むと、処置具挿入口金７がＤカット係合部１５側に第１の実施例より大きく強制移動させられる。
【００３９】
したがって、Ｄカット係合部１５における処置具挿入口金７の外周平面部を、第１の実施例より偏心量ｅだけ深く形成することができ、その結果、処置具挿入口金７の外周平面部の幅が広くなるので、固定ナット１１が締め付けられた時に、処置具挿入口金７のガタつきや緩みの発生を第１の実施例よりさらに確実に防止することができる。
【符号の説明】
【００４０】
１  操作部ハウジング
２  処置具挿入口金取付孔
３  処置具挿通チャンネル
４  処置具挿通チャンネル基端口金
７  処置具挿入口金
８  螺合部
９  段部
１１  固定ナット
１２  雌ねじ部
１５  Ｄカット係合部
Ｘ2  処置具挿入口金取付孔の軸線位置
Ｘ12  雌ねじ部の軸線位置
【図１】
2010207424.tif 000003
【図２】
2010207424.tif 000004
【図３】
2010207424.tif 000005
【図４】
2010207424.tif 000006
【図５】
2010207424.tif 000007
【図６】
2010207424.tif 000008
【図７】
2010207424.tif 000009
【図８】
2010207424.tif 000010
【図９】
2010207424.tif 000011
【図１０】
2010207424.tif 000012
【図１１】
2010207424.tif 000013